(57)【要約】【課題】  本発明は、洗浄時洗濯物の流れを阻止したり、絡まったりすることなく円滑に洗濯を行うことができると共に洗濯槽内に投入するだけの操作が容易な洗濯機用助剤類容器を提供することを目的とするものである。【解決手段】  この発明に係る洗濯機用助剤類容器は、変形可能な柔軟性を有し、内部を空洞部２とする円形のボール体１の周面の一部に切欠状の挿入口３を設けて、布または紙等の通気性を有する包装体４に内包された粉末あるいは粒状の消臭剤、除菌・抗菌剤等の助剤類５を、前記ボール体１を外側から圧迫ないしは押し潰して変形させて、切欠状の挿入口３を一定の大きさに拡開してボール体１の空洞部２に着脱可能に収容して、洗濯槽６内に洗濯物７と同時的またはその前後に投入されて洗濯に供されるものである。【選択図】      図１
2007007354.tif 000002
【特許請求の範囲】
【請求項１】
変形可能な柔軟性を有し、内部を空洞部とするボール体の周面の一部に切欠状の挿入部を設けて、布または紙等の包装体に内包された粉末状あるいは粒状の消臭剤、除菌抗菌剤等の助剤類を前記切欠状の挿入口を介してボール体の空洞部に収容して洗濯機に投入される洗濯機用助剤類容器。
【請求項２】
前記ボール体は内部を透視する程度に透明または半透明とする請求項１記載の洗濯機用助剤類容器。
【請求項３】
前記ボール体の空洞部に収容される助剤類を、貝殻焼成カルシウムとゼオライトとの混合物の粉末または粒状とする請求項１または２記載の洗濯機用助剤類容器。
【発明の詳細な説明】
【技術分野】
【０００１】  本発明は洗濯機とくに家庭用洗濯機に用いられる消臭剤等の各種洗濯助剤類の粉末を入れて洗濯物と一緒に用いる洗濯機用助剤容器に関するものである。
【背景技術】
【０００２】  従来、主として家庭用の洗濯機を用いて汚れた衣類等を洗濯する際、併せて粉末、粒状あるいは液状の消臭剤あるいは除菌・抗菌剤等の各種助剤類を同時に混入することが行われている。【０００３】  これらの消臭剤あるいは除菌・抗菌剤等の助剤類は主として活性炭、あるいは水や細菌類などに高い酸化力を有する天然鉱石等を主成分とする溶液や粉末、粒状が用いられ、これらの助剤類は液状の場合には直接投入したり、粉末あるいは粒状体や塊状体は、不織布等の通気性を有するシートを用いた袋体を洗濯機に吊持または混在したりしたものが用いられている。
【発明の開示】
【発明が解決しようとする課題】
【０００４】  しかしながら、従来これらの消臭剤や除菌抗菌剤等の助剤類として、活性炭あるいは天然鉱石等あるいは光触媒を利用した二酸化チタン等の粉末あるいは粒状体等を用いて布製あるいは袋に入れて洗濯機内に吊下あるいは混在したものは、洗浄時回転する洗濯物の邪魔になったり、袋体のファスナー等に洗濯物が引っかかったり、あるいは洗濯物に絡まって局地的な効果しか得られないことがみられ、また液体を使用するものは、いちいち洗濯のたびに計量する必要があり面倒な部分があった。【０００５】  本発明は、洗浄時洗濯物の流れを阻止したり、絡まったりすることなく円滑に洗濯を行うことができると共に洗濯槽内に投入するだけの操作が容易な洗濯機用助剤類容器を提供することを目的とするものである。
【課題を解決するための手段】
【０００６】    本発明に係る洗濯機用助剤類容器は、変形可能な柔軟性を有し、内部を空洞部とするボール体の周面の一部に切欠状の挿入口を設けて、布または紙等の包装体に内包された粉末あるいは粒状の消臭剤、除菌・抗菌剤等の助剤類を前記切欠状の挿入口を介してボール体の空洞部に収容して洗濯機に投入されることを特徴とするものである。【０００７】  さらに、ボール体は内部を透視する程度に透明または半透明とすることを特徴とするものである【０００８】  さらに、前記ボール体の空洞部に収容される助剤類を、水に溶解しやすい貝殻焼成カルシウムとゼオライトの混合粉末または粒状とすることを特徴とするものである。
【発明の効果】
【０００９】  本発明に係る洗濯機用助剤類容器によれば、変形可能な柔軟性を有するボール体を用いることにより、浴槽の周辺に吊下したり、決められた位置に取り付けたりする作業が不要となり、洗濯槽内に投げ込むだけの簡単な作業で行うことができ、また、その洗浄時洗濯槽内の洗濯物と接触しても円形であり、柔軟性をもって変形可能であるため、洗濯物と絡まって衣類を痛めたり、洗浄の流れを阻止したり、あるいは異音を発生することがなく、円滑な洗濯を行うことができる。【００１０】  さらに、内部を空洞部としてボール体の周面の一部に切欠状の挿入口を設けてなることにより、粉末あるいは粒状の助剤類を内包した布または紙等の包装体を、切欠状の挿入口を広げてボール体の空洞部に容易に出し入れすることができ、しかも、ボール体を変形して挿入口を開いて助剤類の減り具合を容易に目視することができる。【００１１】  さらに、洗濯槽内のボール体は水がこの挿入口より流れ込んで空洞部内に充填されて、その重量により浴槽の底部に位置されることにより、空洞部内に収容されている消臭剤等の助剤類が溶解して、洗濯層に満遍なく略均一な状態で行き渡って効果的な消臭や除菌抗菌作用を行うことができる。【００１２】  さらに、ボール体は内部を透視する程度に透明または半透明とすることにより、内部が目視され、収容されている助剤類の減り具合等を、外部から容易に判断することができる。【００１３】    さらに、前記ボール体の空洞部に収容される助剤類を水に溶解しやすい貝殻焼成カルシウムとゼオライトの混合粉末または粒状を通気性を有する布または紙等の包装体に内包してボール体に収容することにより、洗濯水に速やかに溶解して、アルカリマイナスイオン水とすることにより、安定した消臭や除菌・抗菌及び洗浄機能を保持することができる。
【発明を実施するための最良の形態】
【００１４】  図１は、本発明に係る洗濯機用助剤類容器を示す断面図であり、図２は、同じくその正面図であり、図３は助剤類の挿入状態を示す略示図であり、図４は助剤類の一例を示す一部を切除した略示図であり、図５は洗濯槽へ投入された状態を示す略示図である。【００１５】  本発明に係る洗濯機用助剤類容器は、図１及び図２に示すように、変形可能な柔軟性を有し、内部を空洞部２とする円形のボール体１の周面の一部に切欠状の挿入口３を設けて、布または紙等の通気性を有する包装体４に内包された粉末あるいは粒状の消臭剤、除菌・抗菌剤等の助剤類５を、図３に示すように、前記ボール体１を外側から圧迫ないしは押し潰して変形させて、切欠状の挿入口３を一定の大きさに拡開してボール体１の空洞部２に収容して、洗濯槽６内に洗濯物７と同時的またはその前後に投入されて洗濯に供されるものである。【００１６】  ボール体１は、手で容易に変形しまた復元される程度の柔軟性を有する塩化ビニール等の軟質性を有する合成樹脂材から内部を空洞部２として、略真円形に製せられている。【００１７】  なお、このボール体１は、円形に限らず楕円形や多角形のものを使用してもよいが、洗濯槽６内においてその洗濯の途中で洗濯物７に妄りに絡まったり、引っ掛かったりしないものが選択され、また、着色してカラーボールとしたり、あるいは透明または半透明としたりして空洞部２に収容される助剤類５の減り具合を透視できるものであってもよい。【００１８】  ボール体１の周面に穿設される挿入口３は、その周面の約１／３程度の長さに切欠状に形成され、空洞部２に着脱可能に収容される助剤類５が容易に出し入れされ、また洗濯槽６内に入れられて洗濯の途中の稼動状態において、助剤類５が挿入口３から飛び出したりしないようにされ、またその両端には挿入口３の変形により端部が切欠かれたりしない防止孔８が設けられている。【００１９】  このボール体１の空洞部２に封入される助剤類５は、図４に示すように、ポリエステル等の化学繊維又は合成繊維からなる適宜の柔軟性を有する不織布シートあるいは和紙等の通気性を有する素材を用いて袋状の包装体４を形成し、その開口端から粉末または粒状の助剤類５を適量充填して開口端を封緘して、ボール体１を手で押し潰すようにして変形させて挿入口３を広げて空洞部２に収容して、ボール体１の変形を解除して挿入口３を切欠状に戻して封入し洗濯槽６内に入れる。【００２０】  前記ボール体１の空洞部２に収容される助剤類５としては、貝殻とくにホッキ貝の焼成カルシウム９と天然鉱石のゼオライト１０の混合物を粉末または粒状とし、望ましくは微粉末とするものを用いることにより、抗菌・除菌、消臭及び洗濯物７のカビ取りの効果が高く、しかも洗濯槽６内に充填される洗濯水１１またはすすぎ水等に略均一に満遍なく溶解してより効果を高められる。【００２１】  この貝殻焼成カルシウム９には、洗濯水１１に溶解して酸化還元電位を下げ、アルカリマイナスイオン水化することによって、洗濯物７の汚れ臭いや洗剤の臭いを消臭し、洗濯物７に付着する細菌や雑菌の除菌・抗菌効果が得られ、また、使用の継続によって洗濯槽６に付着したカビ菌を除去する効果が得られる。【００２２】  さらに、洗濯水１１がアルカリマイナスイオン化されるため洗浄力が高められて、洗剤の使用量を押さえ、油等が付着した汚れや環境ホルモンといった人体に悪影響を及ぼす有害汚染物質を除去されるとともに、洗浄段階ばかりでなく、すすぎ水１１の段階でも継続してアルカリマイナスイオン化され、洗濯物７が乾燥後ソフトに仕上がり、柔らかな肌触り感を甦らせるものである。【００２３】  さらに、アルカリマイナスイオン水化された洗濯水１１やすすぎ水等を排水することにより、排水管内が洗浄され、しかも環境破壊につながる塩素系殺菌剤や漂白剤といった化学薬品のような環境破壊の原因なる恐れがない。【００２４】  また、貝殻焼成カルシウム９に粒形や形状の異なる天然石のゼオライト１０を混合することにより、ゼオライト１０の性質である水の浄化や消臭効果をもたらし、洗濯槽６から取り出したときボール体１に収容されている助剤類５の貝殻焼成カルシウム９が空気中の二酸化炭素を取り込んで固形化することを防止しているものである。
【図面の簡単な説明】
【００２５】
【図１】本発明に係る洗濯機用助剤類容器を示す断面図である。
【図２】同じくその正面図である。
【図３】助剤類の挿入状態を示す略示図である。
【図４】助剤類の一例を示す一部を切除した略示図である。
【図５】洗濯槽へ投入された状態を示す略示図である。
【符号の説明】
【００２６】    １      ボール体
２      ボール体１の空洞部
３      ボール体１の切欠状の挿入口
４      包装体
５      助剤類
６      洗濯槽
７      洗濯物
８      防止孔
９      貝殻焼成カルシウム
１０    ゼオライト
１１    洗濯水
【図１】
2007007354.tif 000003
【図２】
2007007354.tif 000004
【図３】
2007007354.tif 000005
【図４】
2007007354.tif 000006
【図５】
2007007354.tif 000007